(57)【要約】【課題】フォーカスリングの強度と摺動性を向上させることができるとともに、使用者が該フォーカスリングを強く摘んでもスムーズな回転動作をさせることができるレンズ鏡筒を提供すること。【解決手段】レンズ鏡筒の手動操作環の構成において、該手動操作環はプラスチック材料より成り、該手動操作環の内周に金属材料より成る補強リングを挿入し突き当て面を有し、該突き当て面は周方向に複数の切り欠き部を有するとともに、手動操作環は補強リングを径方向に圧入するための複数の圧入突起を有し、該圧入突起の周方向幅が突き当て面の切り欠き部の周方向幅よりも小さいことを特徴とする。【選択図】図１
2006119438.tif 000002
【特許請求の範囲】
【請求項１】
レンズ鏡筒の手動操作環の構成において、該手動操作環はプラスチック材料より成り、該手動操作環の内周に金属材料より成る補強リングを挿入し突き当て面を有し、該突き当て面は周方向に複数の切り欠き部を有するとともに、手動操作環は補強リングを径方向に圧入するための複数の圧入突起を有し、該圧入突起の周方向幅が突き当て面の切り欠き部の周方向幅よりも小さいことを特徴とする手動操作環の構成を含むことを特徴とするレンズ鏡筒。
【請求項２】
前記複数の切り欠き部に接着剤を注入して前記補強リングを固着保持することを特徴とする手動操作環の構成を含む請求項１記載のレンズ鏡筒。
【請求項３】
前記補強リングの一端面が非操作部材の一端面と摺動することを特徴とする請求項１又は２記載のレンズ鏡筒。
【発明の詳細な説明】
【技術分野】
【０００１】
本発明は、カメラ等のレンズ鏡筒の鏡筒構造に関するものである。
【背景技術】
【０００２】
従来より一眼レフカメラ用の交換レンズには、一般的に、使用者が手動で被写体に焦点を合せるためのフォーカスリング、ズームレンズの場合は焦点距離を手動で変更するためのズームリング等が設けられている。これらの手動操作部材は、その機能だけでなく使用者の操作時の操作感が重要視されてきている。オートフォーカス機能でピントを自動で合わせた後でも操作者の作画意図によりピント位置を変更したり、オートフォーカスが不得意な被写体に対して手動で該操作部材によりピント調節をすることがよく行われている。その際、スムーズな操作部材の動作が要求されており、操作途中での引っ掛り、ムラ、スティックスリップ等が発生しないことが重要である。
【０００３】
近年の交換レンズ鏡筒は、鏡筒及び外観部品においてもプラスチック化が進み、軽量化及びコストダウンが進められている。前述の操作部材においても例外ではなく、プラスチックにより成るものが多くなっている。図４及び図５にその従来例として、一眼レフカメラの交換レンズの、一般的なフォーカスリングの形状を表す断面を示す。
【０００４】
１１は不図示の一眼レフカメラ本体と本交換レンズとを着脱自在に支持するためのマウントであり、１２は該マウント１１を支持している固定筒、１３は固定筒１２と一体的に支持されている固定筒、１４は固定筒１２と固定筒１３の間で光軸回りに回転可能に支持されているフォーカスリングである。１５は固定筒１３に固定されている摺動リング、１６は不図示の交換レンズ鏡筒の内部機構へ該フォーカスリング１４の回転量を伝達するための回転伝達リングである。フォーカスリング１４は、内径の１４ａ面にて摺動リング１５ａ面と径嵌合するとともに、光軸方向の位置を１４ｂ面と１５ｂ面の間隔及び１４ｃ面と１２ａ面との間隔により規制されている。又、１４ｄ部は周方向に複数の切り欠き部であり、該切り欠き部に１６ａ部の対応する凸部が係合することで、フォーカスリング１４の回転を伝達リングに伝達している。摺動リング１５は、固定筒１３と一体でも良いが、更に摺動性の良い材料を使用することによりフォーカスリング１４の回転摺動性を良くし、スムーズな回転が可能になるよう追加することが望ましい。
【０００５】
【特許文献１】特開平０４−２１７２１１号公報
【特許文献２】特開２０００−０５６２０２号公報
【発明の開示】
【発明が解決しようとする課題】
【０００６】
しかしながら、前述の背景により、近年の操作リングの材質も量産性、コスト、軽量化の観点からプラスチックが使用されており、操作リングを使用者が手で握った際に該操作リングを潰すような力が作用して、円筒状の該操作リングが楕円筒形状になった状態で光軸回りの回転操作を受けている。材質がプラスチックの場合はその変形量も大きく、１４ａと１５ａ面との径嵌合にムラが生じたり、固定筒１２の１ａ面と楕円に変形したフォーカスリング１４ｅ面とが部分的に摺動するようになるため、フォーカスリング１４の回転動作中に回転トルクムラが発生したり、不要な摺動によるザラツキを感じたりして、フォーカス操作がスムーズにできないことが多くあった。
【０００７】
又、変形したフォーカスリングにより、該フォーカスリングの光軸方向ガタも部分的に詰まることが起こり、スムーズな回転動作は望めなかった。対策としてフォーカスリングの径方向の厚さを厚くすることも可能であるが、交換レンズ鏡筒の大型化、使用材料量増となる。
【０００８】
本発明は上記不具合に鑑みてなされたもので、その目的とする処は、フォーカスリングの強度と摺動性を向上させることができるとともに、使用者が該フォーカスリングを強く摘んでもスムーズな回転動作をさせることができるレンズ鏡筒を提供することにある。
【課題を解決するための手段】
【０００９】
上記目的を達成するため、請求項１記載の発明は、レンズ鏡筒の手動操作環の構成において、該手動操作環はプラスチック材料より成り、該手動操作環の内周に金属材料より成る補強リングを挿入し突き当て面を有し、該突き当て面は周方向に複数の切り欠き部を有するとともに、手動操作環は補強リングを径方向に圧入するための複数の圧入突起を有し、該圧入突起の周方向幅が突き当て面の切り欠き部の周方向幅よりも小さいことを特徴とする。
【００１０】
請求項２記載の発明は、請求項１記載の発明において、前記複数の切り欠き部に接着剤を注入して前記補強リングを固着保持することを特徴とする。
【００１１】
請求項３記載の発明は、請求項１又は２記載の発明において、前記補強リングの一端面が非操作部材の一端面と摺動することを特徴とする。
【発明の効果】
【００１２】
本発明によれば、鏡筒構成においてフォーカスリングの強度と摺動性を向上させることが可能であり、使用者が該フォーカスリングを強く摘んでもスムーズな回転動作をさせることが可能となる。
【００１３】
又、温度変化・衝撃等により補強リングが脱落することがないように、強固な接着が可能な構成となり、確実な固着が可能となった。更に、フォーカスリングの強度を簡単な構成で向上でき、大型化することなく操作感を向上することができる。
【発明を実施するための最良の形態】
【００１４】
本発明は、カメラ等の光学機器に用いられる交換レンズの手動の回転操作部材に関するものであり、以下の実施の形態で説明する。
【００１５】
図１は本発明を実施したカメラ等に用いられるレンズ鏡筒の、フォーカスリング近傍の構成について抜き出して示した、光軸を含む面で切断した断面図であり、図２はフォーカスリング近傍の部分拡大図である。
【００１６】
図１及び図２において、Ａ−Ａは交換レンズの光軸を表している。１は不図示の一眼レフカメラ本体に着脱可能に接続するためのマウントである。２はマウント１にビス等で固着され支持される固定筒であり、３は該固定筒２にビス等により固着され支持される固定筒である。４はフォーカスリングであり、光軸回りに回転することで不図示の交換レンズ鏡筒内部のレンズ駆動機構にその回転力を伝達して、フォーカス用レンズ群を光軸方向へ移動させて焦点調節可能な構成として動作させるように構成されている。５は固定筒３に固定された摺動リングであり、６はフォーカスリング４の回転力を不図示の交換レンズ内部の焦点調節機構へ伝達するための回転伝達リングである。７はフォーカスリング４の内周に圧入され接着固定される、金属より成る補強リングである。
【００１７】
フォーカスリング４の形状において、外周部４ａは使用者が直接触れる部分であり、ローレット等の回転動作時に指が滑りにくい形状になっている。内周４ｂ面は、摺動リング５の５ａ面と径嵌合しており、フォーカスリング４の径方向の位置を決めている。摺動リング５の材質はＰＯＭ等の表面の摺動性の良い材質をすることでフォーカスリング４とのスムーズな摺動が可能であり望ましいが、固定筒２と一体にしても問題ない。フォーカスリング４の光軸方向位置は、４ｃ面と５ｂ面の間隔及び２ａ面と７ａ面の間隔で規制され、適度なガタを有して支持されている。特に、７ａ面は金属面であり、２ａのプラスチック面との間の摺動性が良い。４ｄ部は切り欠き部であり、光軸回りに数箇所に設けられているとともに、回転伝達リング６の外周に設けられた上記切り欠き部に対応する場所に周方向に嵌合する突起部を有しており、フォーカスリング４の回転力を確実に回転伝達リング６に伝えている。
【００１８】
又、図３はフォーカスリング６と補強リング７の固定方法を説明するための断面図であり、４ｅは補強リング７の光軸方向の突き当て面であり、４ｆは補強リング７の外周に対し圧入とするための、光軸回りに複数個、内周側に突出して設けられた圧入突起である。４ｇは圧入突起４ｆ以外の逃げ面である。４ｇは周方向に複数個設けられた接着溝であり、該接着溝４ｇ部では突き当て面４ｅは無く、補強リング７の７ｂ面が見えている状態となる。８はフォーカスリング４と補強リング７の固着のための接着剤であり、該圧入突起４ｆの周方向の幅を接着溝４ｇの周方向幅よりも小さくすることで、接着剤８は接着溝４ｇと補強リング７の７ｂ面との接着だけでなく、補強リング７の外周とフォーカスリング４の４ｇ面との隙間に接着剤８が流れ込むため、より強固な接着固定が可能となる。
【００１９】
フォーカスリング４がプラスチック、補強リング７が金属より成るため、圧入設定として組み込んでも、温度膨張・収縮、衝撃等により外れる場合があったが、確実に強固な接着を行うことで、常にフォーカスリング４の変形強度を向上させるとともに、光軸方向位置での摺動性も向上させることが可能である。
【図面の簡単な説明】
【００２０】
【図１】本発明に係るフォーカスリングを有する交換レンズ鏡筒のフォーカスリング周りの構成を示す断面図である。
【図２】図１に示したフォーカスリング近傍の拡大断面図である。
【図３】図１に示したフォーカスリングと補強リングの固着・接着状態を説明するための拡大断面図である。
【図４】従来のフォーカスリングを有する一般的な交換レンズ鏡筒のフォーカスリング周りの構成を示す断面図である。
【図５】図４のフォーカスリング近傍の拡大断面図である。
【符号の説明】
【００２１】
１    マウント
２    固定筒
３    固定筒
４    フォーカスリング
５    摺動リング
６    回転伝達リング
７    補強リング
８    接着剤
１１  マウント
１２  固定筒
１３  固定筒
１４  フォーカスリング
１５  摺動リング
１６  回転伝達リング
【図１】
2006119438.tif 000003
【図２】
2006119438.tif 000004
【図３】
2006119438.tif 000005
【図４】
2006119438.tif 000006
【図５】
2006119438.tif 000007